(57)【要約】【課題】複数の画像を表示し、これらの画像に対する処理を可能とする。【解決手段】プロジェクター１００は、表示領域に画像を表示する投射部２０と、外部機器に接続されるインターフェース部１１と、操作を検出する操作検出部５０と、表示領域の複数の領域のそれぞれに画像を表示させる制御部３０と、を備える。複数の領域は、外部機器に対応付けられて外部機器に関する画像を表示する機器対応領域と、領域に表示される画像に対する処理が可能な処理領域とを含む。制御部３０は、操作検出部５０が検出する操作に対応して、いずれかの領域に表示される画像を他の領域に表示させる。【選択図】図３
2016180942.tif 000002
【特許請求の範囲】
【請求項１】
表示領域に画像を表示する表示部と、
外部機器に接続される接続部と、
操作を検出する操作検出部と、
前記表示領域に複数の領域を設け、複数の前記領域のそれぞれに画像を表示させる制御部と、を備え、
複数の前記領域は、前記外部機器に対応付けられて前記外部機器に関する画像を表示する機器対応領域と、前記領域に表示される画像に対する処理が可能な処理領域とを含み、
前記制御部は、前記操作検出部が検出する操作に対応して、いずれかの前記領域に表示される画像を他の前記領域に表示させること、
を特徴とする表示装置。
【請求項２】
前記制御部は、前記機器対応領域に対し、前記表示部により前記外部機器に対応付けられた態様で画像を表示させ、
前記操作検出部が前記機器対応領域に表示される画像を前記処理領域に移す操作を検出した場合に、操作された画像の表示態様を変更可能であること、
を特徴とする請求項１記載の表示装置。
【請求項３】
前記制御部は、前記操作検出部が前記処理領域に表示される画像を前記機器対応領域に移動する操作を検出した場合に、操作された画像に対して、移動先の前記機器対応領域に対応する前記外部機器に関連する処理を行うこと、
を特徴とする請求項１または２記載の表示装置。
【請求項４】
前記操作検出部は、前記表示領域に対する操作を検出し、
前記制御部は、前記処理領域と前記機器対応領域とに跨がる操作を前記操作検出部が検出した場合に、前記処理領域に表示される画像を前記機器対応領域に移動する操作、或いは、前記機器対応領域に表示される画像を前記処理領域に移す操作として検出すること、
を特徴とする請求項１から３のいずれかに記載の表示装置。
【請求項５】
前記制御部は、少なくとも１つの前記機器対応領域に複数の前記外部機器を対応付けて複数機器対応領域とすることが可能であり、
前記操作検出部が、前記複数機器対応領域に対し画像を移動する操作を検出した場合に、移動先の前記複数機器対応領域に対応付けられた複数の前記外部機器のそれぞれに関連する処理を行うこと、
を特徴とする請求項１から４のいずれかに記載の表示装置。
【請求項６】
前記制御部は、前記表示部により、前記複数機器対応領域に対応付けられた複数の前記外部機器から入力される画像を前記複数機器対応領域に表示させる場合に、それぞれの前記外部機器に対応する表示位置に表示させること、
を特徴とする請求項５記載の表示装置。
【請求項７】
前記表示部は、前記接続部に接続される前記外部機器から入力される画像を、前記機器対応領域または前記処理領域に表示し、
前記制御部は、前記表示部が前記処理領域に表示する画像の表示位置及び表示サイズの少なくともいずれかを、表示する画像を入力した前記外部機器に制限されず変更可能であること、
を特徴とする請求項１から６のいずれかに記載の表示装置。
【請求項８】
前記外部機器は、画像を前記接続部に入力する画像入力機器を含み、
前記表示部は、前記画像入力機器が入力する画像を、前記画像入力機器が対応付けられた前記機器対応領域に表示すること、
を特徴とする請求項１から７のいずれかに記載の表示装置。
【請求項９】
前記外部機器は、前記接続部を介して画像を入出力可能な画像入出力機器を含み、
前記表示部は、前記画像入出力機器が入力する画像を、前記画像入出力機器が対応付けられた前記機器対応領域に表示し、
前記制御部は、前記操作検出部が、前記機器対応領域に対し画像を移動する操作を検出した場合に、移動先の前記機器対応領域に対応付けられた前記画像入出力機器に対して前記画像を出力すること、
を特徴とする請求項１から８のいずれかに記載の表示装置。
【請求項１０】
前記制御部は、第１の前記機器対応領域から前記処理領域に画像を移動する操作に対応して処理を行い、処理された画像について第２の前記機器対応領域に移動する操作を前記操作検出部が検出した場合に、前記処理された画像を、第１の前記機器対応領域に対応付けられた前記外部機器に関する制約を受けずに処理可能であること、
を特徴とする請求項１から９のいずれかに記載の表示装置。
【請求項１１】
表示装置と、表示装置に接続される外部機器とを備え、
前記外部機器は前記表示装置に画像を出力し、
前記表示装置は、
表示領域に画像を表示する表示部と、
前記外部機器に接続される接続部と、
操作を検出する操作検出部と、
前記表示領域に複数の領域を設け、複数の前記領域のそれぞれに画像を表示させる制御部と、を備え、
複数の前記領域は、前記外部機器に対応付けられて前記外部機器に関する画像を表示する機器対応領域と、前記領域に表示される画像に対する処理が可能な処理領域とを含み、
前記制御部は、前記表示部により前記外部機器が入力する画像を前記機器対応領域に表示させ、前記操作検出部が検出する操作に対応して、いずれかの前記領域に表示される画像を他の前記領域に表示させること、
を特徴とする表示システム。
【請求項１２】
表示領域に画像を表示する表示部を有し、外部機器に接続される表示装置を制御する表示装置の制御方法であって、
前記表示領域に、前記外部機器に対応付けられて前記外部機器に関する画像を表示する機器対応領域と、前記領域に表示される画像に対する処理が可能な処理領域とを含む複数の領域を設け、
複数の前記領域のそれぞれに画像を表示し、
操作を検出し、
検出した操作に対応して、いずれかの前記領域に表示される画像を他の前記領域に表示すること、
を特徴とする表示装置の制御方法。
【請求項１３】
表示領域に画像を表示する表示部を有し、外部機器に接続される表示装置を制御するコンピューターが実行可能なプログラムであって、
前記表示領域に、前記外部機器に対応付けられて前記外部機器に関する画像を表示する機器対応領域と、前記領域に表示される画像に対する処理が可能な処理領域とを含む複数の領域を設け、
複数の前記領域のそれぞれに画像を表示させ、
操作に対応して、いずれかの前記領域に表示される画像を他の前記領域に表示させること、
を特徴とするプログラム。
【発明の詳細な説明】
【技術分野】
【０００１】
本発明は、表示装置、表示システム、表示装置の制御方法、及び、プログラムに関する。
【背景技術】
【０００２】
従来、画像を表示する表示装置において、複数の画面を同時に表示する例があった（例えば、特許文献１、２参照）。特許文献１記載の装置は、撮影画像から２つの画像を切り出し、切り出した画像を表示する。また、特許文献２記載のシステムは、プロジェクターによりスクリーンにスライド画像を投影する。このシステムでは、スクリーンの入力エリアにおいて電子ペンを用いた操作が可能であり、電子ペンの操作をもとにストロークを描画して、スライド画像に上書きして表示する。
【先行技術文献】
【特許文献】
【０００３】
【特許文献１】特開２０１１−１５８８４４号公報
【特許文献２】特開２０１２−６３９７４号公報
【発明の概要】
【発明が解決しようとする課題】
【０００４】
特許文献１、２には、同時に表示される複数の画像そのものを処理する例の開示はない。これらの文献に開示された構成では、表示される画像は撮影画像から抽出された画像や表示順が決められたスライド画像であり、画像を取得し表示する動作と、画像に対する処理とを整合させることが容易でないためである。従って、複数の画像を表示し、これらの画像に対する処理を可能とする提案は無かった。
本発明は上記課題に鑑みてなされたものであり、複数の画像を表示し、これらの画像に対する処理を可能とすることを目的とする。
【課題を解決するための手段】
【０００５】
上記目的を達成するために、本発明の表示装置は、表示領域に画像を表示する表示部と、外部機器に接続される接続部と、操作を検出する操作検出部と、前記表示領域に複数の領域を設け、複数の前記領域のそれぞれに画像を表示させる制御部と、を備え、複数の前記領域は、前記外部機器に対応付けられて前記外部機器に関する画像を表示する機器対応領域と、前記領域に表示される画像に対する処理が可能な処理領域とを含み、前記制御部は、前記操作検出部が検出する操作に対応して、いずれかの前記領域に表示される画像を他の前記領域に表示させること、を特徴とする。
本発明によれば、外部機器に対応付けられる領域に表示される画像に対し、処理を行うことが可能である。また、外部機器に対応付けられる領域の画像を、処理領域に表示させて処理を行うことにより、外部機器と表示画像との対応に影響を与えることなく、複数の画像を表示し、表示される画像に対する処理を行うことができる。
【０００６】
また、本発明は、上記表示装置において、前記制御部は、前記機器対応領域に対し、前記表示部により前記外部機器に対応付けられた態様で画像を表示させ、前記操作検出部が前記機器対応領域に表示される画像を前記処理領域に移す操作を検出した場合に、操作された画像の表示態様を変更可能であること、を特徴とする。
本発明によれば、外部機器に対応付けられた領域における画像について、外部機器と画像との対応に影響を与えることなく、表示態様を変更できる。
【０００７】
また、本発明は、上記表示装置において、前記制御部は、前記操作検出部が前記処理領域に表示される画像を前記機器対応領域に移動する操作を検出した場合に、操作された画像に対して、移動先の前記機器対応領域に対応する前記外部機器に関連する処理を行うこと、を特徴とする。
本発明によれば、画像を移動する操作により外部機器に関連する処理を実行させることができ、利便性の向上を図ることができる。
【０００８】
また、本発明は、上記表示装置において、前記操作検出部は、前記表示領域に対する操作を検出し、前記制御部は、前記処理領域と前記機器対応領域とに跨がる操作を前記操作検出部が検出した場合に、前記処理領域に表示される画像を前記機器対応領域に移動する操作、或いは、前記機器対応領域に表示される画像を前記処理領域に移す操作として検出すること、を特徴とする。
本発明によれば、ユーザーが複数の領域に跨がる操作を行うことにより、領域に表示される画像を他の領域に移動させる処理を指示できる。
【０００９】
また、本発明は、上記表示装置において、前記制御部は、少なくとも１つの前記機器対応領域に複数の前記外部機器を対応付けて複数機器対応領域とすることが可能であり、前記操作検出部が、前記複数機器対応領域に対し画像を移動する操作を検出した場合に、移動先の前記複数機器対応領域に対応付けられた複数の前記外部機器のそれぞれに関連する処理を行うこと、を特徴とする。
本発明によれば、ユーザーが簡単な操作を行うことにより、複数の外部機器に関連する処理を実行できる。
【００１０】
また、本発明は、上記表示装置において、前記制御部は、前記表示部により、前記複数機器対応領域に対応付けられた複数の前記外部機器から入力される画像を前記複数機器対応領域に表示させる場合に、それぞれの前記外部機器に対応する表示位置に表示させること、を特徴とする。
本発明によれば、複数の外部機器が画像を入力した場合に、これら複数の画像を見やすく表示できる。
【００１１】
また、本発明は、上記表示装置において、前記表示部は、前記接続部に接続される前記外部機器から入力される画像を、前記機器対応領域または前記処理領域に表示し、前記制御部は、前記表示部が前記処理領域に表示する画像の表示位置及び表示サイズの少なくともいずれかを、表示する画像を入力した前記外部機器に制限されず変更可能であること、を特徴とする。
本発明によれば、外部機器に関連する処理の制約を受けることなく、画像の表示位置や表示サイズを変更できる。
【００１２】
また、本発明は、上記表示装置において、前記外部機器は、画像を前記接続部に入力する画像入力機器を含み、前記表示部は、前記画像入力機器が入力する画像を、前記画像入力機器が対応付けられた前記機器対応領域に表示すること、を特徴とする。
本発明によれば、画像を入力する外部機器に対応して、画像を処理できる。
【００１３】
また、本発明は、上記表示装置において、前記外部機器は、前記接続部を介して画像を入出力可能な画像入出力機器を含み、前記表示部は、前記画像入出力機器が入力する画像を、前記画像入出力機器が対応付けられた前記機器対応領域に表示し、前記制御部は、前記操作検出部が、前記機器対応領域に対し画像を移動する操作を検出した場合に、移動先の前記機器対応領域に対応付けられた前記画像入出力機器に対して前記画像を出力すること、を特徴とする。
本発明によれば、外部機器が入力する画像を処理し、さらに、外部機器に対する画像の出力を行うことができる。
【００１４】
また、本発明は、上記表示装置において、前記制御部は、第１の前記機器対応領域から前記処理領域に画像を移動する操作に対応して処理を行い、処理された画像について第２の前記機器対応領域に移動する操作を前記操作検出部が検出した場合に、前記処理された画像を、第１の前記機器対応領域に対応付けられた前記外部機器に関する制約を受けずに処理可能であること、を特徴とする。
本発明によれば、外部機器に対応する画像を、表示される領域から他の領域に移動させることで、外部機器に関する制約を受けずに処理できる。
【００１５】
また、本発明の表示システムは、表示装置と、表示装置に接続される外部機器とを備え、前記外部機器は前記表示装置に画像を出力し、前記表示装置は、表示領域に画像を表示する表示部と、前記外部機器に接続される接続部と、操作を検出する操作検出部と、前記表示領域に複数の領域を設け、複数の前記領域のそれぞれに画像を表示させる制御部と、を備え、複数の前記領域は、前記外部機器に対応付けられて前記外部機器に関する画像を表示する機器対応領域と、前記領域に表示される画像に対する処理が可能な処理領域とを含み、前記制御部は、前記表示部により前記外部機器が入力する画像を前記機器対応領域に表示させ、前記操作検出部が検出する操作に対応して、いずれかの前記領域に表示される画像を他の前記領域に表示させること、を特徴とする。
本発明によれば、外部機器に対応付けられる領域に表示される画像に対し、処理を行うことが可能である。また、外部機器に対応付けられる領域の画像を、処理領域に表示させて処理を行うことにより、外部機器と表示画像との対応に影響を与えることなく、複数の画像を表示し、表示される画像に対する処理を行うことができる。
【００１６】
また、本発明は、表示領域に画像を表示する表示部を有し、外部機器に接続される表示装置を制御する表示装置の制御方法であって、前記表示領域に、前記外部機器に対応付けられて前記外部機器に関する画像を表示する機器対応領域と、前記領域に表示される画像に対する処理が可能な処理領域とを含む複数の領域を設け、複数の前記領域のそれぞれに画像を表示し、操作を検出し、検出した操作に対応して、いずれかの前記領域に表示される画像を他の前記領域に表示すること、を特徴とする。
本発明によれば、表示装置が、外部機器に対応付けられる領域に表示される画像に対し、処理を行うことが可能である。また、外部機器に対応付けられる領域の画像を、処理領域に表示させて処理を行うことにより、外部機器と表示画像との対応に影響を与えることなく、複数の画像を表示し、表示される画像に対する処理を行うことができる。
【００１７】
また、本発明は、表示領域に画像を表示する表示部を有し、外部機器に接続される表示装置を制御するコンピューターが実行可能なプログラムであって、前記表示領域に、前記外部機器に対応付けられて前記外部機器に関する画像を表示する機器対応領域と、前記領域に表示される画像に対する処理が可能な処理領域とを含む複数の領域を設け、複数の前記領域のそれぞれに画像を表示させ、操作に対応して、いずれかの前記領域に表示される画像を他の前記領域に表示させること、を特徴とする。
本発明のプログラムを実行することにより、表示装置が外部機器に対応付けられる領域に表示する画像に対し、処理を行うことが可能である。また、外部機器に対応付けられる領域の画像を、処理領域に表示させて処理を行うことにより、外部機器と表示画像との対応に影響を与えることなく、複数の画像を表示し、表示される画像に対する処理を行うことができる。
【図面の簡単な説明】
【００１８】
【図１】表示システムの構成及び設置状態を示す図。
【図２】プロジェクターに接続される各機器の構成を示す機能ブロック図。
【図３】プロジェクター及び指示体の機能ブロック図。
【図４】表示システムの表示例とスクリーンに対する操作の例を示す図。
【図５】表示システムの表示例とスクリーンに対する操作の例を示す図。
【図６】表示システムの表示例とスクリーンに対する操作の例を示す図。
【図７】表示システムの表示例とスクリーンに対する操作の例を示す図。
【図８】プロジェクターの動作を示すフローチャート。
【図９】プロジェクターの動作を示すフローチャート。
【図１０】プロジェクターの動作を示すフローチャート。
【図１１】プロジェクターの動作を示すフローチャート。
【発明を実施するための形態】
【００１９】
図１は、表示システム１の構成及び設置状態を示す図である。
表示システム１は、プロジェクター１００（表示装置）に、タブレット２及びタブレット３を無線通信回線によりデータ通信可能に接続し、書画カメラ４を有線接続した構成を有する。表示システム１を構成するタブレット２、３の数について制限はなく、本実施形態では、１台のタブレット２と、複数台のタブレット３とを接続する例を示す。
【００２０】
表示システム１は、タブレット２を操作するユーザーと、タブレット３を操作する複数のユーザーとが使用する。例えば教育の場において、教育を行う側のユーザー（例えば、先生）がタブレット２を使用し、教育を受ける側のユーザー（例えば、生徒）がタブレット３を使用する。タブレット２のユーザーは、指示体７０を用いた操作、及び、書画カメラ４の操作も行う。
【００２１】
図１にはプロジェクター１００の設置状態を示す。
プロジェクター１００は、スクリーンＳＣ（操作面）の上方又は斜め上方に設置され、スクリーンＳＣに向けて画像を投射する。スクリーンＳＣは、壁面に固定され、又は床面に立設された平板又は幕である。本発明は、この例に限定されず、壁面をスクリーンＳＣとして使用することも可能である。この場合、スクリーンＳＣとして使用される壁面の上部にプロジェクター１００を取り付けるとよい。
【００２２】
プロジェクター１００は、ＰＣ（パーソナルコンピューター）、ビデオ再生装置、ＤＶＤ再生装置、Ｂｌｕ−ｒａｙ（登録商標）  Ｄｉｓｃ（ブルーレイディスク）再生装置等の画像供給装置に接続してもよい。この場合、プロジェクター１００は、画像供給装置から供給されるアナログ画像信号又はデジタル画像データに基づいて、スクリーンＳＣに画像を投射する。また、プロジェクター１００は、内蔵する記憶部６０（図３）や外部接続される記憶媒体に記憶された画像データを読み出して、この画像データに基づきスクリーンＳＣに画像を表示してもよい。
【００２３】
スクリーンＳＣにおいて、プロジェクター１００が画像を投射する最大範囲を、投射可能領域（表示領域）１１０とする。図１の例ではスクリーンＳＣの全体が投射可能領域１１０である。投射可能領域１１０の大きさは、プロジェクター１００のズーム機能等により調整でき、投射可能領域１１０はスクリーンＳＣより小さくてもよい。
プロジェクター１００は、投射可能領域を複数の領域に分割して、各領域に、それぞれ独立して画像を投射できる。図１の例では投射可能領域１１０が４つの領域１１１、１１２、１１３、１１４に分割される。各領域を区分する領域境界１１５は、図１の状態では投射可能領域１１０の縦（鉛直）方向中央及び横（水平）方向中央に位置するが、領域境界１１５の位置は後述するように移動できる。
【００２４】
本実施形態のプロジェクター１００は、タブレット２、３が送信する画像データに基づく画像、書画カメラ４が送信する画像データに基づく画像、及び、指示体７０の操作に応じてプロジェクター１００が描画する画像等を、領域１１１、１１２、１１３、１１４に表示する。
【００２５】
プロジェクター１００は、スクリーンＳＣに対するユーザーの操作を検出する機能を有する。ユーザーは、ペン型の指示体７０の軸部７２を手に持ち、指示体７０の先端部７１でスクリーンＳＣに対する操作を行う。この操作には、先端部７１によりスクリーンＳＣ上の位置を指定（指示）する操作、スクリーンＳＣ上の異なる位置を連続して指示する操作等が含まれる。スクリーンＳＣ上の位置を指示する操作は、指示体７０の先端部７１をスクリーンＳＣに一定時間接触させる操作であり、スクリーンＳＣ上の異なる位置を連続して指示する操作とは、先端部７１をスクリーンＳＣに接触させながら動かす操作である。
【００２６】
プロジェクター１００は、ユーザーが指示体７０で行う操作を検出して、検出した操作をスクリーンＳＣの表示画像に反映させる。例えば、プロジェクター１００は、先端部７１が指示する操作位置の座標に基づき、プロジェクター１００の機能を実行するＧＵＩ（Graphical User Interface）操作を実現する。また、プロジェクター１００は、先端部７１の操作位置の軌跡に沿って文字や図形を生成し、生成した文字や図形を投射可能領域１１０に投射する、描画機能を有する。
【００２７】
タブレット２は、平板状の本体に、タッチ操作が可能なタッチパネル２０１を有する。タブレット３も同様に、平板状の本体に、タッチ操作が可能なタッチパネル３０１を有する。タッチパネル２０１、３０１は表示画面としての液晶表示パネルや有機ＥＬパネル等の表示パネルに、接触操作を検出するタッチパネルを重畳した構成である。
【００２８】
書画カメラ４は、カメラヘッド４０２、及び、カメラヘッド４０２を支持する支柱４０３を有する。カメラヘッド４０２は下方を撮影する撮影部４１０（図２）を備え、カメラヘッド４０２の下方に設置される載置面４０１に載せられる被写体を撮影し、撮影画像データをプロジェクター１００に送信する。
【００２９】
図２は、タブレット２、３及び書画カメラ４の機能ブロック図である。
タブレット２は、プロジェクター１００に接続されるインターフェース部２１１を備える。インターフェース部２１１は、外部の機器に有線接続する有線接続用のコネクターを備え、このコネクターに対応するインターフェース回路を備えていてもよい。また、インターフェース部２１１は、無線通信インターフェースを備えていてもよい。有線接続用のコネクター及びインターフェース回路としては有線ＬＡＮ、ＩＥＥＥ１３９４、ＵＳＢ、ＭＨＬ（Mobile High-definition Link）（登録商標）、ＨＤＭＩ（登録商標）（High-Definition Multimedia Interface）等に準拠したものが挙げられる。また、無線通信インターフェースとしては無線ＬＡＮ（ＷｉＦｉ（登録商標））、Ｂｌｕｅｔｏｏｔｈ（登録商標）、Ｍｉｒａｃａｓｔ（登録商標）等に準拠したものが挙げられる。本実施形態では、無線ＬＡＮ通信可能な無線通信インターフェースを備える構成である。
【００３０】
タブレット２は、制御部２１２、表示部２１３、入力部２１４、及び記憶部２２０を備え、これらの各部及びインターフェース部２１１はバス２３０によりデータ通信可能に接続する。制御部２１２は、図示しないＣＰＵ、ＲＡＭ、ＲＯＭ等を備え、ＲＯＭが記憶する制御プログラム、及び記憶部２２０が記憶する制御プログラムを実行して、タブレット２の各部を制御する。
【００３１】
表示部２１３及び入力部２１４はタッチパネル２０１に接続する。表示部２１３は、制御部２１２の制御に従い、タッチパネル２０１に各種画面を表示する。入力部２１４は、タッチパネル２０１における接触操作を検出して、検出した操作の位置を示す座標データを制御部２１２に出力する。
【００３２】
記憶部２２０は、制御部２１２が実行するプログラムや、各種データを不揮発的に記憶する。記憶部２２０は、画像データ２２１及び接続情報２２２を記憶する。画像データ２２１は、タッチパネル２０１に表示する画像や文字等を含む表示用の画像データであり、制御部２１２は、画像データ２２１に基づく画像を表示部２１３に表示させることができる。また、制御部２１２は、画像データ２２１をインターフェース部２１１によりプロジェクター１００に送信できる。
【００３３】
接続情報２２２は、インターフェース部２１１が無線通信によりプロジェクター１００に接続するための情報を含む。例えば、タブレット２のＭＡＣ（Media Access Control）アドレス、ＩＰ（Internet Protocol）アドレス、ネットワーク名、ＳＳＩＤ（Service Set Identifier）等を含む。また、接続情報２２２は、インターフェース部２１１が接続する機器のＳＳＩＤ、セキュリティ設定の種別、パスワードやパスキー、端末名称等を含んでもよい。セキュリティ設定は、例えば、ＷＥＰ（Wired Equivalent Privacy）、ＷＰＡ（Wi-Fi Protected Access）等から選択できる。
接続情報２２２は、タブレット２に接続するプロジェクター１００等の外部機器に関する上記項目の情報と、インターフェース部２１１に関する上記項目の情報とを含んでもよい。
【００３４】
制御部２１２は、接続情報２２２を参照して、プロジェクター１００との間で無線通信を確立して、プロジェクター１００と無線によるデータ通信を実行する。制御部２１２が画像データ２２１をプロジェクター１００に送信すると、プロジェクター１００が、画像データ２２１を受信して画像データ２２１に基づく画像を投射する。制御部２１２は、プロジェクター１００に送信する画像データ２２１に基づく画像を、表示部２１３により表示することもできる。
【００３５】
タブレット３は、タブレット２と同様に構成される。即ち、タブレット３は、プロジェクター１００等の外部機器に接続するインターフェース部３１１を備える。インターフェース部３１１の構成は、インターフェース部２１１と同様である。
また、タブレット３は、制御部３１２、表示部３１３、入力部３１４、及び記憶部３２０を備え、これらの各部及びインターフェース部３１１はバス３３０によりデータ通信可能に接続する。制御部３１２は、図示しないＣＰＵ、ＲＡＭ、ＲＯＭ等を備え、ＲＯＭが記憶する制御プログラム、及び記憶部３２０が記憶する制御プログラムを実行して、タブレット３の各部を制御する。
【００３６】
表示部３１３及び入力部３１４はタッチパネル３０１に接続する。表示部３１３は、制御部３１２の制御に従い、タッチパネル３０１に各種画面を表示する。入力部３１４は、タッチパネル３０１における接触操作を検出して、検出した操作の位置を示す座標データを制御部３１２に出力する。
【００３７】
記憶部３２０は、制御部３１２が実行するプログラムや、各種データを不揮発的に記憶する。記憶部３２０は、画像データ３２１及び接続情報３２２を記憶する。画像データ３２１は、タッチパネル３０１に表示する画像や文字等を含む表示用の画像データであり、制御部３１２は、画像データ３２１に基づく画像を表示部３１３に表示させることができる。また、制御部３１２は、画像データ３２１をインターフェース部３１１によりプロジェクター１００に送信できる。
【００３８】
接続情報３２２は、インターフェース部３１１が無線通信によりプロジェクター１００に接続するための情報を含む。例えば、タブレット３のＭＡＣアドレス、ＩＰアドレス、ネットワーク名、ＳＳＩＤ等を含む。また、接続情報３２２は、インターフェース部３１１が接続する機器のセキュリティ設定の種別、ＳＳＩＤ、パスワードやパスキー、端末名称等を含んでもよい。接続情報３２２は、タブレット３に接続するプロジェクター１００等の外部機器に関する上記項目の情報と、インターフェース部３１１に関する上記項目の情報とを含んでもよい。
【００３９】
制御部３１２は、接続情報３２２を参照して、プロジェクター１００との間で無線通信を確立して、プロジェクター１００と無線によるデータ通信を実行する。制御部３１２が画像データ３２１をプロジェクター１００に送信すると、プロジェクター１００が、画像データ３２１を受信して画像データ３２１に基づく画像を投射する。制御部３１２は、プロジェクター１００に送信する画像データ３２１に基づく画像を、表示部３１３により表示することもできる。
【００４０】
書画カメラ４は、撮影部４１０と、撮影部４１０を制御する制御部４１１と、プロジェクター１００に接続するインターフェース部４１２とを備える。本実施形態では、インターフェース部４１２は、プロジェクター１００に対しＵＳＢ接続するＵＳＢコネクター、及び、ＵＳＢデバイスコントローラーを含む回路を有する。インターフェース部４１２は、表示用のアナログ画像信号を出力するインターフェース（例えば、Ｄ−Ｓｕｂ）であってもよいし、デジタルビデオデータを出力するインターフェース（例えば、ＤＶＩ）であってもよい。インターフェース部４１２は、プロジェクター１００に接続してデータを送信できればよく、例えば無線通信によりプロジェクター１００に接続可能な構成であってもよい。
【００４１】
撮影部４１０はデジタルスチルカメラまたはデジタルビデオカメラであり、載置面４０１（図１）を撮影範囲に含むよう設置される。制御部４１１は撮影部４１０に撮影を実行させて撮影画像データを生成し、インターフェース部４１２から撮影画像データをプロジェクター１００に送信する。制御部４１１は、撮影部４１０の撮影画像データをアナログ画像信号に変換してもよいし、デジタルビデオデータに変換してもよい。また、撮影部４１０はズーム及びフォーカス調整が可能な構成であってもよく、この場合、制御部４１１がズーム及びフォーカスの調整を制御する。
また、書画カメラ４は、撮影部４１０の撮影範囲すなわち載置面４０１を照明する照明装置を備えてもよく、この場合、制御部４１１は照明装置の点灯、消灯を制御する。
【００４２】
図３は、プロジェクター１００及び指示体７０の機能ブロック図である。
プロジェクター１００は、外部機器に接続されるインターフェースとして、インターフェース（Ｉ／Ｆ）部１１及び画像インターフェース（Ｉ／Ｆ）部１２を備える。インターフェース部１１及び画像インターフェース部１２は、有線接続用のコネクターを備え、このコネクターに対応するインターフェース回路を備えてもよい。また、インターフェース部１１及び画像インターフェース部１２は、無線通信インターフェースを備えていてもよい。有線接続用のコネクター及びインターフェース回路としては有線ＬＡＮ、ＩＥＥＥ１３９４、ＵＳＢ等に準拠したものが挙げられる。また、無線通信インターフェースとしては無線ＬＡＮやＢｌｕｅｔｏｏｔｈ等に準拠したものが挙げられる。画像インターフェース部１２には、ＨＤＭＩ等の画像データ用のインターフェースを用いることができ、Ｄ−Ｓｕｂ等のアナログ画像信号が入力されるインターフェースを用いてもよい。画像インターフェース部１２は、音声データが入力されるインターフェースを備えてもよい。
【００４３】
インターフェース部１１は、ＰＣ等の外部の装置との間で各種データを送受信するインターフェースである。インターフェース部１１は、画像の投射に関するデータ、プロジェクター１００の動作を設定するデータ等を入出力する。後述する制御部３０は、インターフェース部１１を介して外部の装置とデータを送受信する機能を有する。
画像インターフェース部１２は、デジタル画像データが入力されるインターフェースである。本実施形態のプロジェクター１００は、画像インターフェース部１２を介して入力されるデジタル画像データに基づき画像を投射する。なお、プロジェクター１００は、アナログ画像信号に基づき画像を投射する機能を備えていてもよく、この場合、画像インターフェース部１２は、アナログ画像用のインターフェースと、アナログ画像信号をデジタル画像データに変換するＡ／Ｄ変換回路とを備えてもよい。
【００４４】
インターフェース部１１には、例えばタブレット２、３を接続でき、書画カメラ４は画像インターフェース部１２及び画像インターフェース部１２のいずれに接続してもよいが、本実施形態では、インターフェース部１１にタブレット２、３及び書画カメラ４が接続する。
タブレット２、３はインターフェース部１１の無線ＬＡＮインターフェースに接続し、書画カメラ４はＵＳＢインターフェースに接続する。
プロジェクター１００は、インターフェース部１１及び画像インターフェース部１２に接続する機器のうち、画像データ又はアナログ画像信号を入力する機器を、画像ソースとして認識する。
【００４５】
プロジェクター１００は、光学的な画像の形成を行う投射部２０を備える。投射部２０は、光源部２１、光変調装置２２及び投射光学系２３を有する。光源部２１は、キセノンランプ、超高圧水銀ランプ、ＬＥＤ（Light Emitting Diode）又はレーザー光源等からなる光源を備える。また、光源部２１は、光源が発した光を光変調装置２２に導くリフレクター及び補助リフレクターを備えていてもよい。さらに、光源部２１は、投射光の光学特性を高めるためのレンズ群（図示略）、偏光板、又は光源が発した光の光量を光変調装置２２に至る経路上で低減させる調光素子等を備えていてもよい。
【００４６】
光変調装置２２は、例えばＲＧＢの三原色に対応した３枚の透過型液晶パネルを備え、この液晶パネルを透過する光を変調して画像光を生成する。光源部２１からの光はＲＧＢの３色の色光に分離され、各色光は対応する各液晶パネルに入射される。各液晶パネルを通過して変調された色光はクロスダイクロイックプリズム等の合成光学系によって合成され、投射光学系２３に射出される。
【００４７】
投射光学系２３は、光変調装置２２により変調された画像光をスクリーンＳＣ方向へ導き、スクリーンＳＣ上に結像させるレンズ群を備える。また、投射光学系２３は、スクリーンＳＣの表示画像の拡大・縮小を行うズーム機構、フォーカスの調整を行うフォーカス調整機構を備えていてもよい。プロジェクター１００が短焦点型である場合、投射光学系２３に、画像光をスクリーンＳＣに向けて反射する凹面鏡を備えていてもよい。
【００４８】
投射部２０は、制御部３０の制御に従って光源部２１を点灯させる光源駆動部４５、及び制御部３０の制御に従って光変調装置２２を動作させる光変調装置駆動部４６に接続される。光源駆動部４５は、光源部２１の点灯、消灯の切り替えを行い、光源部２１の光量を調整する機能を有していてもよい。
【００４９】
プロジェクター１００は、投射部２０が投射する画像を処理する画像処理系を備える。この画像処理系は、プロジェクター１００を制御する制御部３０、記憶部６０、入力受付部１７、画像処理部４０、光源駆動部４５及び光変調装置駆動部４６を含む。また、画像処理部４０にはフレームメモリー４１が接続され、制御部３０には操作検出部５０が接続される。これらの各部を画像処理系に含めてもよい。
【００５０】
制御部３０は、所定の制御プログラム６１を実行することによりプロジェクター１００の各部を制御する。記憶部６０は、制御部３０が実行する制御プログラム６１を記憶する。また、記憶部６０は、外部機器情報６２、及び表示位置情報６３を不揮発的に記憶する。外部機器情報６２は、インターフェース部１１及び画像インターフェース部１２に接続する外部機器に関する情報を含み、外部機器を特定する情報を含んでもよい。例えば、インターフェース部１１にタブレット２、３が接続される場合、外部機器情報６２は、タブレット２との通信を実行するための各種情報、及び、タブレット２を特定する情報を含む。具体的には、タブレット２のＭＡＣアドレス、ＩＰアドレス、ネットワーク名、ＳＳＩＤ、タブレット２との無線通信のセキュリティ設定の種別、ＳＳＩＤ、パスワードやパスキー、端末名称等を含んでもよい。外部機器情報６２は、タブレット３についても同様の情報を含み、記憶部６０は、タブレット２に関する外部機器情報６２とタブレット３に関する外部機器情報６２とが別の情報として記憶してもよい。また、外部機器情報６２は、タブレット２とタブレット３とを識別可能な情報を含む。本実施形態では複数のタブレット３がプロジェクター１００に接続するので、外部機器情報６２は、それぞれのタブレット３を識別する情報を含んでもよい。また、それぞれのタブレット３に対応する外部機器情報６２が、独立した情報として記憶部６０に記憶されてもよい。また、外部機器情報６２は、インターフェース部１１に接続される書画カメラ４（図１）に関する情報を含む。
【００５１】
表示位置情報６３は、投射可能領域１１０に設けられる領域１１１、１１２、１１３、１１４の各領域と、インターフェース部１１及び画像インターフェース部１２に接続する機器との対応を定める情報である。プロジェクター１００は、領域１１１、１１２、１１３、１１４のそれぞれに、プロジェクター１００に接続される機器を対応付けることが可能である。詳細は後述するが、本実施形態では、領域１１１にタブレット２が対応付けられ、領域１１２に書画カメラ４が、領域１１４にタブレット３が対応付けられる。表示位置情報６３は、例えば上記の対応関係を示す情報を含む。
【００５２】
画像処理部４０は、制御部３０の制御に従って、インターフェース部１１または画像インターフェース部１２を介して入力される画像データを処理し、光変調装置駆動部４６に画像信号を出力する。画像処理部４０が実行する処理は、３Ｄ（立体）画像と２Ｄ（平面）画像の判別処理、解像度変換処理、フレームレート変換処理、歪み補正処理、デジタルズーム処理、色調補正処理、輝度補正処理等である。画像処理部４０は、制御部３０により指定された処理を実行し、必要に応じて、制御部３０から入力されるパラメーターを使用して処理を行う。また、上記のうち複数の処理を組み合わせて実行することも勿論可能である。
画像処理部４０は、フレームメモリー４１に接続される。画像処理部４０は、インターフェース部１１または画像インターフェース部１２から入力される画像データをフレームメモリー４１に展開して、展開した画像データに対し上記の各種処理を実行する。画像処理部４０は、処理後の画像データをフレームメモリー４１から読み出して、この画像データに対応するＲ、Ｇ、Ｂの画像信号を生成し、光変調装置駆動部４６に出力する。
光変調装置駆動部４６は、光変調装置２２の液晶パネルに接続される。光変調装置駆動部４６は、画像処理部４０から入力される画像信号に基づいて液晶パネルを駆動し、各液晶パネルに画像を描画する。
【００５３】
入力受付部１７は、入力デバイスとして機能するリモコン受光部１８及び操作パネル１９に接続され、リモコン受光部１８及び操作パネル１９を介した操作を検出する。
リモコン受光部１８は、プロジェクター１００のユーザーが使用するリモコン（図示略）がボタン操作に対応して送信した赤外線信号を受光する。リモコン受光部１８は、上記リモコンから受光した赤外線信号をデコードして、上記リモコンにおける操作内容を示す操作データを生成し、制御部３０に出力する。
操作パネル１９は、プロジェクター１００の外装筐体に設けられ、各種スイッチ及びインジケーターランプを有する。入力受付部１７は、制御部３０の制御に従い、プロジェクター１００の動作状態や設定状態に応じて操作パネル１９のインジケーターランプを適宜点灯及び消灯させる。操作パネル１９のスイッチが操作されると、操作されたスイッチに対応する操作データが入力受付部１７から制御部３０に出力される。
【００５４】
操作検出部５０は、指示体７０による操作位置を検出する。操作検出部５０は、撮影部５１、送信部５２、撮影制御部５３、対象検出部５４及び座標算出部５５の各部を備える。
【００５５】
撮影部５１は、少なくとも投射可能領域１１０を含む撮影範囲を撮影し、撮影画像を形成する。撮影部５１は、赤外光を撮影する赤外用撮像素子、及び、インターフェース回路を備え、赤外光による撮影を行う。撮像素子には、ＣＣＤ、ＣＭＯＳのいずれを用いることも可能であり、また、他の素子を用いることもできる。撮影部５１の撮影方向および撮影範囲（画角）は、投射光学系２３と同じ方向、又は略同じ方向を向き、投射光学系２３がスクリーンＳＣ上に画像を投射する範囲をカバーする。撮影部５１は撮影画像データを出力する。
【００５６】
撮影制御部５３は、制御部３０の制御に従って撮影部５１を制御し、撮影部５１に撮影を実行させる。撮影制御部５３は、撮影部５１の撮影画像データを取得して、対象検出部５４に出力する。撮影部５１が赤外光を撮影した撮影画像データには、指示体７０が発する赤外光の像が写る。
【００５７】
送信部５２は、撮影制御部５３の制御に従って、指示体７０に対して同期用の赤外線信号を送信する。送信部５２は、赤外ＬＥＤ等の光源を有し、この光源を撮影制御部５３の制御に従って点灯及び消灯させる。
【００５８】
対象検出部５４は、撮影部５１の撮影画像データに写った赤外光の像を検出して、撮影画像データにおける、指示体７０の操作位置の座標を検出する。また、対象検出部５４は、指示体７０の先端部７１がスクリーンＳＣに接触しているか否かを判定して、先端部７１がスクリーンＳＣに接触しているか否かを示すタッチ情報を生成する。指示体７０の先端部７１がスクリーンＳＣに接触しているか否かの判定方法は後述する。
【００５９】
対象検出部５４が検出する指示体７０の操作位置の座標は、撮影部５１の撮影画像データにおける座標である。
座標算出部５５は、操作位置の座標を、スクリーンＳＣにおける操作位置の座標に変換する。本実施形態では、投射部２０が投射する投射画像における座標に変換される。投射画像における座標は、プロジェクター１００とスクリーンＳＣとの距離、投射光学系２３におけるズーム率、プロジェクター１００の設置角度、撮影部５１とスクリーンＳＣとの距離等の様々な要素の影響を受ける。座標算出部５５は、事前に実施されるキャリブレーションの結果に基づき、撮影画像データにおける操作位置の座標から、スクリーンＳＣの表示画像における操作位置の座標を算出する。キャリブレーションでは、所定のパターン画像を投射部２０からスクリーンＳＣに投射して、表示されたパターン画像を撮影部５１で撮影する。撮影部５１の撮影したパターン画像に基づいて、撮影画像データにおける座標と、スクリーンＳＣの表示画像上の座標との対応関係（座標変換パラメーター）が導かれる。投射画像における操作位置の座標に基づき、制御部３０は、フレームメモリー４１に描画される投射画像に対する操作位置を特定できる。
【００６０】
指示体７０は、制御部７３、送受信部７４、操作スイッチ７５及び電源部７６を備え、これらの各部は軸部７２（図１）に収容される。制御部７３は、送受信部７４及び操作スイッチ７５に接続され、操作スイッチ７５のオン／オフ状態を検出する。操作スイッチ７５は、指示体７０の先端部７１に配置されており、先端部７１がスクリーンＳＣに押し付けられた場合にオンとなる。送受信部７４は、赤外ＬＥＤ等の光源と、赤外光を受光する受光素子とを備え、制御部７３の制御に従って光源を点灯及び消灯させるとともに、受光素子の受光状態を示す信号を制御部７３に出力する。
電源部７６は、電源として乾電池又は二次電池を有し、制御部７３、送受信部７４及び操作スイッチ７５の各部に電力を供給する。指示体７０は、電源部７６からの電源供給をオン／オフする電源スイッチを備えていてもよい。
【００６１】
操作検出部５０と指示体７０との相互の通信により、撮影部５１の撮影画像データから指示体７０の操作位置を特定する方法について説明する。
プロジェクター１００の制御部３０は、指示体７０による操作を検出する場合に、撮影制御部５３を制御して、送信部５２から同期用の信号を送信させる。すなわち、撮影制御部５３は、制御部３０の制御に従って、送信部５２の光源を所定の周期で点灯させる。送信部５２が周期的に発する赤外光が、操作検出部５０と指示体７０とを同期させる同期信号として機能する。
一方、指示体７０の制御部７３は、電源部７６から電源の供給が開始され、所定の初期化動作を行った後、プロジェクター１００の送信部５２が発する赤外光を、送受信部７４により受光する。送信部５２が周期的に発する赤外光を送受信部７４により受光すると、制御部７３は、この赤外光のタイミングに同期させて、予め設定された指示体７０に固有の点灯パターンで送受信部７４の光源を点灯（発光）させる。また、制御部７３は、操作スイッチ７５の操作状態に応じて、送受信部７４の点灯パターンを切り替える。このため、プロジェクター１００の対象検出部５４は、順次撮影される複数の撮影画像データに基づいて、指示体７０の操作状態、すなわち先端部７１がスクリーンＳＣに押しつけられているか否かを判定できる。
また、制御部７３は、電源部７６から電源が供給されている間、上記のパターンを繰り返し実行する。つまり、送信部５２は、指示体７０に対し、同期用の赤外線信号を周期的に送信し、指示体７０は、送信部５２が送信する赤外線信号に同期して、予め設定された赤外線信号を送信する。
【００６２】
撮影制御部５３は、撮影部５１による撮影タイミングを、指示体７０が点灯するタイミングに合わせる制御を行う。撮影タイミングは、撮影制御部５３が送信部５２を点灯させるタイミングに基づいて決定される。対象検出部５４は、順次撮影される複数の撮影画像データのそれぞれに指示体７０の光の像が写っているか否かにより、指示体７０が点灯するパターンを特定できる。対象検出部５４は、複数の撮影画像データに基づいて、指示体７０の先端部７１がスクリーンＳＣに押しつけられているか否かを判定して、タッチ情報を生成する。
また、指示体７０の点灯パターンは、指示体７０の個体毎に固有のパターン、又は複数の指示体７０に共通のパターンと個体毎に固有のパターンとを含むものとすることができる。この場合、対象検出部５４は、撮影画像データに複数の指示体７０が発する赤外光の像が含まれる場合に、各々の像を、異なる指示体７０の像として区別できる。
【００６３】
制御部３０は、記憶部６０が記憶する制御プログラム６１を読み出して実行することにより投射制御部３１、操作取得部３２、通信制御部３３、描画部３４、及び画像取得部３５の機能を実現し、プロジェクター１００の各部を制御する。
【００６４】
投射制御部３１は、入力受付部１７から入力される操作データに基づいて、ユーザーがリモコンを操作して行った操作内容を取得する。投射制御部３１は、ユーザーが行った操作に応じて画像処理部４０、光源駆動部４５及び光変調装置駆動部４６を制御し、スクリーンＳＣに画像を投射させる。
また、投射制御部３１は、画像処理部４０を制御して、上述した３Ｄ（立体）画像と２Ｄ（平面）画像の判別処理、解像度変換処理、フレームレート変換処理、歪み補正処理、デジタルズーム処理、色調補正処理、輝度補正処理等を実行させる。また、投射制御部３１は、画像処理部４０の処理に合わせて光源駆動部４５を制御し、光源部２１の光量を制御する。
【００６５】
操作取得部３２は、操作検出部５０が検出する指示体７０の操作位置を取得する。また、操作取得部３２は、投射可能領域１１０にメニューバー等のＧＵＩ操作用の画像が表示された状態で、操作検出部５０が指示体７０の操作位置を検出した場合、操作位置に対応する画像を特定し、指示内容を検出する。例えば、メニューバーが表示された状態で、指示体７０の操作位置に対応するメニューバー中のアイコンを特定し、特定したアイコンの機能を検出する。
【００６６】
通信制御部３３は、インターフェース部１１を介したタブレット２及びタブレット３との通信を制御する。通信制御部３３は、複数のタブレット３から１または複数のタブレット３を選択し、選択したタブレット３に対し画像データを送信する等の制御を行う。
【００６７】
描画部３４は、操作検出部５０が検出する指示体７０の操作位置に従って、文字や図形を描画する。描画部３４は、操作取得部３２が描画を指示する操作を検出した場合に、指示体７０の操作位置の軌跡を取得し、この軌跡に基づいて直線、曲線、多角形等の図形（画像）を生成する。描画部３４が生成する画像の種類は、操作取得部３２が検出する操作により指定される。描画部３４が生成する画像は画像処理部４０に転送され、投射制御部３１の制御に従って、画像処理部４０がフレームメモリー４１上の画像に描画画像を合成する。これにより、描画部３４が描画する画像が投射部２０により投射される。
【００６８】
画像取得部３５は、インターフェース部１１及び画像インターフェース部１２に接続する外部機器から入力される画像データを取得する。インターフェース部１１または画像インターフェース部１２からアナログ画像信号が入力された場合、画像取得部３５は、このアナログ画像信号を変換したデジタル画像データを取得する。画像取得部３５は、取得した画像データを、入力元の外部機器に対応付けて取得する。
【００６９】
投射制御部３１は、画像取得部３５が取得する画像データを、表示位置情報６３に基づいて領域１１１、１１２、１１３、１１４のいずれかに対応付ける。投射制御部３１は、画像取得部３５が取得した画像データに基づく画像を画像処理部４０に出力し、フレームメモリー４１に描画させる。画像処理部４０は、投射制御部３１が入力する画像データに基づく画像を、フレームメモリー４１内の対応する領域に描画する。フレームメモリー４１には、領域１１１、１１２、１１３、１１４を含む投射可能領域１１０全体に対応する画像が形成される。
【００７０】
図４〜図７の各図は、表示システム１の表示例およびスクリーンＳＣに対する操作の例を示す図である。
以下の説明では、投射可能領域１１０の領域１１１がタブレット２に対応付けられ、領域１１２は書画カメラ４に対応付けられ、領域１１４がタブレット３に対応付けられる例を説明する。従って、領域１１１、１１２、１１４は、機器対応領域に相当する。この例で、領域１１３は画像を処理する処理領域である。また、領域１１４には複数のタブレット３が対応付けられ、領域１１４は複数機器対応領域に相当する。プロジェクター１００では、いずれか１つのタブレット３を領域１１１、１１２、１１３、１１４のいずれかに対応付けることも可能であるが、以下の例では、複数のタブレット３の全てが領域１１４に対応付けられる。
【００７１】
図４（Ａ）は初期状態における表示例と操作の例を示し、図４（Ｂ）は（Ａ）の操作に対応して表示が変化した例を示し、図４（Ｃ）は描画操作に対応して表示が変化した例を示す。図４（Ａ）にはタブレット２、３をスクリーンＳＣとともに図示する。
図４（Ａ）の表示例は、タブレット２及び複数のタブレット３と、プロジェクター１００とが動作する場合の例である。タブレット２はタッチパネル２０１に表示画像Ｐ２１を表示し、それぞれのタブレット３はタッチパネル３０１に描画画像Ｐ３１を表示する。
タブレット２は、表示画像Ｐ２１の画像データをプロジェクター１００に送信し、各々のタブレット３は描画画像Ｐ３１の画像データをプロジェクター１００に送信する。プロジェクター１００は、スクリーンＳＣの領域１１１に、表示画像Ｐ２１と同じ表示画像Ｐ１を表示する。また、プロジェクター１００は、領域１１４に、描画画像Ｐ３１と同じ表示画像Ｐ２を、それぞれのタブレット３に対応する形態で表示する。領域１１４では、３台のタブレット３に対応する３つの表示画像Ｐ２が表示される。領域１１４は複数機器対応領域であるため、一つのタブレット３の画像を表示するサイズが制約される。このため、制御部３０は、タブレット３から受信した画像データに基づき、サムネイル画像（縮小画像）の画像データを生成し、領域１１４にサムネイル画像を表示してもよい。
【００７２】
図４（Ａ）の表示状態で、指示体７０により、縦方向の領域境界１１５を矢印Ａ１方向に移動する操作と、横方向に延びる領域境界１１５を矢印Ａ２方向に移動する操作とが順に行われると、領域境界１１５の位置は矢印Ａ１、Ａ２に従って移動する。移動後の状態を図４（Ｂ）に示す。フレームメモリー４１には領域１１１、１１２、１１３、１１４を含む表示画像全体が描画されるので、領域境界１１５の位置、及び各領域１１１、１１２、１１３、１１４のサイズは、投射制御部３１が画像処理部４０を制御することで容易に変更できる。
図４（Ｂ）の例では領域１１１が拡大され、領域１１１に表示中の表示画像Ｐ１の表示サイズが拡大される。また、領域１１４は縮小され、表示画像Ｐ２は、アスペクト比を維持して縮小されたサイズで表示される。このため、領域１１４には余白部１１６が発生する。また、領域境界１１５の移動により縮小される領域１１２、１１３は、画像が表示されていない領域であるため、領域１１２、１１３の表示画像の変化はない。
【００７３】
図４（Ｂ）の例では、領域１１２と領域１１３の間の領域境界１１５が移動していない。すなわち、図４の例では、横方向に延びる領域境界１１５と縦方向に延びる領域境界１１５とが、互いの交点で分断され、個別に移動可能である。このため、図４（Ｂ）に示すように、領域境界１１５の半分は縦方向に移動していない。この構成は一例であって、横方向に延びる領域境界１１５及び縦方向に延びる領域境界１１５がいずれも分断されない構成とすることも勿論可能である。
【００７４】
領域１１１、１１２、１１３、１１４では、指示体７０の操作により描画を行うことが可能である。本実施形態では機器対応領域である領域１１１、１１３、１１４及び処理領域である領域１１２のいずれにおいても描画を行える。
描画をする場合、ユーザーが指示体７０を使い、メニューバーＭを呼び出す操作を行う。この操作は、例えば、描画をする領域の任意の一点で先端部７１をスクリーンＳＣに接触させ、指示体７０を所定時間静止させる操作である。この操作を操作取得部３２が検出すると、投射制御部３１が、操作された領域にメニューバーＭを表示する。
【００７５】
メニューバーＭには、直線の描画、曲線の描画、円や四角形などの多角形の描画を指示するアイコンが配置される。また、メニューバーＭには、描画する線や図形の描画色、線の太さ、塗りつぶし色を選択するアイコン、描画した線や図形の消去を指示するアイコン等が配置される。指示体７０の操作によりアイコンを選択し、指示体７０を、図形を描くように動かすと、先端部７１の軌跡に基づき操作取得部３２が図形を描画する。図４（Ｃ）には領域１１１にメニューバーＭが表示され、描画画像Ｐ３が描画された例を示す。このように描画を行った場合、描画された画像オブジェクトである描画画像Ｐ３は、既に領域１１１に表示された表示画像Ｐ１に含まれる他の画像オブジェクトとともに、処理できる。
【００７６】
図５（Ａ）、（Ｃ）、（Ｄ）は指示体７０の操作に対応して表示が変化する例を示し、図５（Ｂ）はタブレット３における表示例を示す。
図４（Ｃ）に示した状態で、領域１１１に表示された画像のキャプチャーが指示体７０により指示されると、制御部３０は、図５（Ａ）に示すように、表示画像Ｐ１と描画画像Ｐ３とを含む領域１１１の全体のキャプチャー画像Ｐ１１を生成する。キャプチャー画像Ｐ１１は、フレームメモリー４１から領域１１１に対応する画像を切り出すことで生成される。領域１１１はタブレット２に対応付けられ、プロジェクター１００がタブレット２から受信する画像データに基づく表示画像Ｐ１が表示される。換言すれば、領域１１１に表示される表示画像Ｐ１は、画像ソースがタブレット２に設定され、プロジェクター１００が表示画像Ｐ１に対して行う処理は描画画像Ｐ３を重畳する処理、及び領域１１１の拡大及び縮小に伴う表示サイズの変更に限られる。
【００７７】
一方、キャプチャー画像Ｐ１１は、制御部３０がフレームメモリー４１の画像データから生成する静止画像であり、タブレット２に対応付けられていないため、制御部３０の制御により送信し、保存し、或いは各種の画像処理を行うことが可能である。
【００７８】
キャプチャー画像Ｐ１１に対し、矢印Ａ３に示すように指示体７０を動かす操作が行われると、制御部３０は、キャプチャー画像Ｐ１１を領域１１４に移動する。この操作は、キャプチャー画像Ｐ１１の上で先端部７１をスクリーンＳＣに接触させ、そのまま矢印Ａ３の方向に領域１１４まで先端部７１を移動させる操作である。
【００７９】
領域１１４は、複数のタブレット３に対応付けられた機器対応領域（複数機器対応領域）である。制御部３０は、図５（Ａ）における操作に応じて、キャプチャー画像Ｐ１１の画像データを、領域１１４に対応付けられたタブレット３に送信する。タブレット３は、プロジェクター１００が送信した画像データを受信して、受信した画像データに基づく画像をタッチパネル３０１に表示する。これにより、タブレット３のタッチパネル３０１には、図５（Ｂ）に示すように、キャプチャー画像Ｐ１１と同じ描画画像Ｐ３１が表示される。
【００８０】
ここで、複数のタブレット３のそれぞれは、表示中の描画画像Ｐ３１の画像データをプロジェクター１００に送信する。タブレット２及びタブレット３は、画像の表示中、所定時間毎に、表示中の画像に対応する画像データをプロジェクター１００に送信してもよい。この画像データの送信は、タッチパネル３０１に表示する画像を更新したとき、或いは、プロジェクター１００から画像データを受信したときに行ってもよい。
制御部３０は、タブレット３から送信される画像データに基づき、領域１１４に表示する画像を更新する。
【００８１】
図５（Ｃ）にはスクリーンＳＣの投射画像が更新された状態を示す。この図５（Ｃ）の状態では、指示体７０の操作により、領域１１４が拡大されている。
図５（Ｃ）では、それぞれのタブレット３でタッチパネル３０１の表示画像が更新されたことに対応して、表示画像Ｐ２が更新されている。
【００８２】
さらに、図５（Ｂ）に示すように、タブレット３では、タッチパネル３０１の操作により画像を描画することも可能である。この場合、タブレット３の制御部３１２が、タッチパネル３０１に対する操作を入力部３１４で検出し、描画の指示、及び描画内容の指示に基づき画像を生成して、生成した画像を既に表示中の描画画像Ｐ３１に重ねて表示する。これにより、タッチパネル３０１において、プロジェクター１００から受信した画像と描画された画像とが合成され、描画画像Ｐ３２が生成され表示される。
タブレット３は、描画画像Ｐ３２の画像データをプロジェクター１００に送信し、図５（Ｃ）に示すように、このタブレット３に対応する表示画像Ｐ２が更新される。図５（Ｃ）の例では１台のタブレット３で描画が行われたため、このタブレット３に対応する表示画像Ｐ２が更新されている。
【００８３】
領域１１４では、複数のタブレット３に対応する表示画像Ｐ２のうち、いずれかの表示画像Ｐ２を選択してキャプチャー画像を生成できる。図５（Ｄ）には、一つの表示画像Ｐ２が選択され、キャプチャー画像Ｐ１２が生成された例を示す。キャプチャー画像Ｐ１２は、制御部３０がフレームメモリー４１から切り出した画像である。領域１１４はタブレット３に対応付けられているが、キャプチャー画像Ｐ１２は機器への対応付けによる制限のない、静止画像であり、制御部３０が送信し、保存し、その他の画像処理を行うことができる。
【００８４】
図６（Ａ）、（Ｂ）、（Ｃ）は指示体７０の操作に対応して表示が変化する例を示す。
図６（Ａ）では、領域１１４から領域１１３に対し、矢印Ａ４に示すように指示体７０を動かす操作が行われる例を示す。事前の指示体７０の操作により、処理の対象である表示画像Ｐ２が選択され、この例では３つの表示画像Ｐ２の全てが対象である。
この操作に応じて、制御部３０は、処理の対象の表示画像Ｐ２を、領域１１３に移動する処理を行う。制御部３０は、領域１１３の表示画像Ｐ２の画像をフレームメモリー４１から切り出して、それぞれの表示画像Ｐ２に対応するキャプチャー画像を生成し、領域１１３に表示する。
【００８５】
領域１１３は、上述のように処理領域であり、領域１１３に表示される画像等は表示オブジェクトとして独立して操作できる。このため、表示画像Ｐ２から生成されたキャプチャー画像は、図６（Ｂ）に示すように、領域１１３にオブジェクトＯ１〜Ｏ３として表示される。オブジェクトＯ１〜Ｏ３は、例えば図６（Ｃ）に示すように、表示位置を変更できる。また、領域１１３では、指示体７０の操作によりメニューバーＭを表示して描画を行うことが可能である。この場合、図６（Ｃ）に示すように、領域１１３で描画された画像は、オブジェクトＯ４として表示される。オブジェクトＯ４は、オブジェクトＯ１〜Ｏ３と同様に、表示位置、表示サイズ等を変更でき、個別に消去し、コピーし、保存することができる。なお、この後で、これらオブジェクトＯ１〜Ｏ４を、領域１１１または領域１１４に移動させる操作が行われると、制御部３０は、オブジェクトＯ１〜Ｏ４の画像データを、タブレット２またはタブレット３に送信する。
【００８６】
図７（Ａ）、（Ｃ）は指示体７０の操作に対応して表示が変化する例を示し、図７（Ｂ）はタブレット３における表示例を示す。
図７（Ａ）は、書画カメラ４が撮影した撮影画像が領域１１２に表示された例を示す。領域１１２の表示画像Ｐ４は、書画カメラ４の撮影画像である。図７（Ａ）では、領域１１２に、表示画像Ｐ４とともにメニューバーＭ´が表示されている。メニューバーＭ´は、指示体７０で操作可能なアイコンを含み、各アイコンは書画カメラ４の操作に対応する。メニューバーＭ´のアイコンが操作されると、制御部３０は、操作に対応する制御データを書画カメラ４に送信し、書画カメラ４のズーム調整、表示の停止等を実行させる。
【００８７】
図７（Ａ）に示す矢印Ａ５で示すように、領域１１２から領域１１４にかけて指示体７０の操作が行われると、制御部３０は、領域１１２の表示画像Ｐ４を、領域１１４に移動する処理を行う。領域１１４はタブレット３に対応付けられた機器対応領域であるため、制御部３０は、表示画像Ｐ４をタブレット３に送信する処理を行う。この処理では、制御部３０が、フレームメモリー４１から表示画像Ｐ４に相当する領域の画像を切り出してキャプチャー画像を生成し、このキャプチャー画像の画像データをタブレット３に送信する。領域１１２が書画カメラ４に対応付けられ、表示画像Ｐ４が書画カメラ４の動作により更新されるのに対し、制御部３０が生成するキャプチャー画像は、独立した画像データとして処理可能である。
【００８８】
制御部３０は、キャプチャー画像を、領域１１４に対応付けられた全てのタブレット３に送信する。図７（Ａ）で、領域１１４の一部の表示画像Ｐ２を選択する操作が行われた場合、制御部３０は、選択された表示画像Ｐ２に対応するタブレット３にのみ、キャプチャー画像の画像データを送信してもよい。
【００８９】
キャプチャー画像が送信されたタブレット３は、図７（Ｂ）に示すように、タッチパネル３０１の表示画像を更新し、書画カメラ４の撮影画像である描画画像Ｐ３３が、タッチパネル３０１に表示される。
【００９０】
また、図５（Ｂ）にも示したように、タブレット３において表示が更新されると、領域１１４における表示も更新される。更新後の状態を図７（Ｃ）に示す。図７（Ｃ）の例では、領域１１１、１１２、１１３、１１４のサイズが初期状態に戻されている。
図７（Ｃ）の例では、領域１１４において各々のタブレット３に対応する表示画像Ｐ２が、領域１１２からコピーされた画像で更新されている。また、領域１１４では３つのタブレット３に対応する３つの表示画像Ｐ２が配置されるため、表示画像Ｐ２はサムネイル画像として表示される。これに対し、領域１１１ではタブレット２に対応する１つの表示画像Ｐ１を表示すればよい。従って、領域１１２から領域１１１へ表示画像Ｐ４を移動した場合には、領域１１２の表示画像Ｐ４が、領域１１１の全体に表示される。つまり、領域１１１、１１２、１１４はいずれも機器対応領域であるが、単独の機器に対応付けられる領域１１１、１１２では一つの表示画像が全面表示され、複数の機器に対応する領域１１４では機器の数に応じた数の画像が表示される。領域１１４では一つの表示画像の表示サイズが小さくなるので、サムネイル画像を表示するよう設定できる。
【００９１】
このように、プロジェクター１００の制御部３０は、投射可能領域１１０を分割した領域１１１、１１２、１１３、１１４に画像を表示し、表示された画像を異なる領域に移動し、コピーできる。
【００９２】
図８〜図１１の各図は、プロジェクター１００の動作を示すフローチャートである。図８は、プロジェクター１００にタブレット２、３、書画カメラ４などの外部機器が接続された場合に実行される接続処理を示す。
接続処理は、制御部３０が、インターフェース部１１または画像インターフェース部１２への接続を検出したときに実行される。
【００９３】
制御部３０は、インターフェース部１１または画像インターフェース部１２への外部機器の接続を検出し（ステップＳ１１）、接続した機器に対応する機器対応領域を判定する（ステップＳ１２）。本実施形態の領域１１１はタブレット２に対応し、領域１１２は書画カメラ４に対応する。また、領域１１３は複数のタブレット３に対応付けられる複数機器対応領域である。制御部３０は、ステップＳ１１で検出した外部機器の種類に基づき、プロジェクター１００が投射可能な機器対応領域のうち、対応付ける領域を判定する。また、各機器対応領域が対応付け可能な外部機器の種類が制限されない場合、接続順に機器対応領域への対応付けを行ってもよい。また、接続される外部機器が複数ある場合に、複数機器対応領域に対応付けるよう判定してもよい。
【００９４】
制御部３０は、接続した外部機器から当該機器に関する情報を取得して、外部機器情報６２として記憶部６０に記憶し(ステップＳ１３)、接続した外部機器から画像データを取得する（ステップＳ１４）。制御部３０は、接続した外部機器と、ステップＳ１２で判定した機器対応領域の位置とを対応付けて、表示位置情報６３として記憶部６０に記憶する（ステップＳ１５）。
【００９５】
制御部３０は、サムネイル画像を生成するか否かを判定する（ステップＳ１６）。例えば、ステップＳ１２で判定した領域が複数機器対応領域である場合、図４（Ａ）に示した領域１１４のように表示サイズが小さいためサムネイル画像を使用してもよい。サムネイル画像を使用する場合（ステップＳ１６；Ｙｅｓ）、制御部３０は、ステップＳ１４で受信した画像データからサムネイル画像の画像データを生成して、ステップＳ１２で判定した領域にサムネイル画像を表示する（ステップＳ１７）。
また、サムネイル画像を使用しない場合（ステップＳ１６；Ｎｏ）、制御部３０は、ステップＳ１４で受信した画像データに基づく画像を、ステップＳ１２で判定した領域に表示する（ステップＳ１８）。
【００９６】
図９は、画像の表示に係る動作を示すフローチャートである。
制御部３０は、指示体７０による操作を操作検出部５０が検出した場合、検出した操作位置を取得し（ステップＳ２１）、この操作位置を一時的にＲＡＭや記憶部６０に記憶する（ステップＳ２２）。
続いて、制御部３０は、操作の内容を判定する（ステップＳ２３）。操作の内容は、例えば、メニューバーの表示を指示する操作、領域境界１１５の移動を指示する操作、投射可能領域１１０に表示される画像やオブジェクトを移動させる操作等である。
【００９７】
制御部３０は、操作内容がメニューバーの呼び出しであるか否かを判定し（ステップＳ２４）、メニューバーの呼び出しの操作であると判定した場合（ステップＳ２４；Ｙｅｓ）、メニュー処理を実行し（ステップＳ２５）、後述するステップＳ３５に移行する。
【００９８】
図１０は、図９のステップＳ２５で実行するメニュー処理を詳細に示すフローチャートである。
制御部３０は、ステップＳ２１（図９）で検出した操作位置を含む領域にメニューバーＭの画像を表示し（ステップＳ５１）、メニューバーＭに対する操作を待機する（ステップＳ５２）。
【００９９】
制御部３０は、メニューバーＭのアイコンの位置における操作を検出した場合（ステップＳ５３）、検出した操作が画像のキャプチャーを指示する操作であるか否かを判定する（ステップＳ５３）。ステップＳ５３の判定は、指示体７０の操作位置が、メニューバーＭに含まれるキャプチャー指示のアイコン上の座標であるか否かに基づき、行われる。
画像のキャプチャーの指示であると判定した場合（ステップＳ５３；Ｙｅｓ）、制御部３０は、メニューバーＭを表示している領域のキャプチャー画像を生成し（ステップＳ５４）、キャプチャー画像の処理に係る操作を待機する（ステップＳ５５）。
【０１００】
指示体７０による操作を検出すると（ステップＳ５５；Ｙｅｓ）、制御部３０は、検出した操作の内容が、他の領域への画像の移動を指示する操作であるか否かを判定する（ステップＳ５６）。他の領域への移動を指示する操作であると判定した場合（ステップＳ５６；Ｙｅｓ）、制御部３０は、画像を他の領域に移動させる領域移動処理を実行し（ステップＳ５７）、ステップＳ５９に移動する。領域移動処理については後述する。
【０１０１】
また、他の領域への画像の移動を指示する操作でないと判定した場合（ステップＳ５６；Ｎｏ）、制御部３０は、キャプチャー画像のデータを、記憶部６０に記憶し（ステップＳ５８）、ステップＳ５９に移行する。
ステップＳ５９で、制御部３０は、メニューバーＭの操作が終了したか否かを判定する。メニューバーＭの表示の終了を指示する操作を検出した場合や、メニューバーＭが表示されていない領域に対する操作を検出した場合に、制御部３０は、メニューバーＭの操作が終了したと判定する（ステップＳ５９；Ｙｅｓ）。この場合、制御部３０は、メニューバーＭの表示を終えて（ステップＳ６０）、本処理を終了する。
また、制御部３０は、メニューバーＭの操作が終了していないと判定した場合（ステップＳ５９；Ｎｏ）、ステップＳ５２に戻り、操作を待機する。
【０１０２】
一方、メニューバーＭの表示中に検出した操作が、画像のキャプチャーの指示でない場合（ステップＳ５３；Ｎｏ）、制御部３０は、描画の指示であるか否かを判定する（ステップＳ６１）。描画の指示であると判定した場合（ステップＳ６１；Ｙｅｓ）、制御部３０は、その後の指示体７０の操作を検出して、操作位置の軌跡に従って描画を実行し（ステップＳ６２）、描画したオブジェクトまたは描画した領域全体の画像データを生成して、記憶部６０に記憶する（ステップＳ６３）。図１０のメニュー処理の対象の領域が、機器対応領域である場合、制御部３０は、ステップＳ６３で、描画した領域全体の画像データを生成して記憶する。この場合、生成される画像データには、外部機器から入力され表示された画像が含まれる。また、メニュー処理の対象の領域が処理領域である場合、制御部３０は、ステップＳ６３で、描画したオブジェクトの画像データを生成して記憶する。ステップＳ６３の処理を実行した後、制御部３０はステップＳ５９に移行する。
【０１０３】
また、指示体７０により描画以外の操作が行われた場合（ステップＳ６１；Ｎｏ）、制御部３０は、操作の内容に対応する処理を実行し（ステップＳ６４）、ステップＳ５９に移行する。ステップＳ６４で実行する処理は、例えば、描画したオブジェクトを消去する処理、描画する図形の形状、色、線の太さ等の描画に係る設定処理、オブジェクトを領域内で移動する処理などである。
【０１０４】
図９に戻り、ステップＳ２３において操作内容がメニューバーの呼び出しの操作でないと判定した場合（ステップＳ２４；Ｎｏ）、制御部３０は、操作位置が領域境界１１５の上であるか否かを判定する（ステップＳ２６）。指示体７０による操作が連続的であり、ステップＳ２２において一時記憶した操作位置が一つの軌跡を形成する場合、制御部３０は、この軌跡の始点が、領域境界１１５の上または領域境界１１５に近接した位置であるか否かを判定する。操作位置が領域境界１１５の上であった場合（ステップＳ２６；Ｙｅｓ）、制御部３０は、指示体７０の操作の軌跡に追従して領域境界１１５を移動させる処理を行う（ステップＳ２７）。ステップＳ２７では、領域境界１１５を移動する処理に合わせて、移動後の領域境界１１５の位置に基づき各領域１１１、１１２、１１３、１１４を拡大及び縮小する処理を行う。その後、制御部３０は、後述するステップＳ３５に移行する。
【０１０５】
制御部３０は、操作位置が領域境界１１５の上でないと判定した場合（ステップＳ２６；Ｎｏ）、操作位置が、処理領域である領域１１３のオブジェクトの上であるか否かを判定する（ステップＳ２８）。制御部３０は、操作位置が、処理領域である領域１１３のオブジェクトの上であると判定した場合（ステップＳ２８；Ｙｅｓ）、オブジェクトを他の領域に移動する指示であるか否かを判定する（ステップＳ２９）。例えば、指示体７０による操作が連続的であり、ステップＳ２２において一時記憶した操作位置が一つの軌跡を形成する場合、制御部３０は、この軌跡の終点が、他の領域であるか否かを判定する。他の領域への移動を指示する操作であると判定した場合（ステップＳ２９；Ｙｅｓ）、制御部３０は、領域移動処理を実行し（ステップＳ３０）、ステップＳ３５に移行する。領域移動処理の詳細は後述する。
【０１０６】
また、他の領域へのオブジェクトの移動を指示する操作でないと判定した場合（ステップＳ２９；Ｎｏ）、制御部３０は、操作に従ってオブジェクトを処理領域内で移動させる（ステップＳ３１）。すなわちオブジェクトの表示位置を変更する処理を行い、ステップＳ３５に移行する。
【０１０７】
一方、指示体７０の操作位置が、処理領域のオブジェクト上でないと判定した場合（ステップＳ２８；Ｎｏ）、制御部３０は、操作位置が機器対応領域にあるか否かを判定する（ステップＳ３２）。操作位置が機器対応領域である領域１１１、１１２、１１４のいずれかである場合（ステップＳ３２；Ｙｅｓ）、制御部３０は、機器対応領域の画像を他の領域に移動する指示であるか否かを判定する（ステップＳ３３）。他の領域への移動を指示する操作であると判定した場合（ステップＳ３３；Ｙｅｓ）、制御部３０は、ステップＳ３０に移行して領域移動処理を実行する。
【０１０８】
また、他の領域への画像の移動を指示する操作でないと判定した場合（ステップＳ３３；Ｎｏ）、制御部３０は、操作位置を含む領域の画像をキャプチャーしてキャプチャー画像を生成し、記憶部６０に記憶し（ステップＳ３４）、ステップＳ３５に移行する。
また、操作位置が機器対応領域でないと判定した場合（ステップＳ３２；Ｎｏ）、制御部３０はステップＳ３５に移行する。
【０１０９】
ステップＳ３５で、制御部３０は、指示体７０による操作が終了したか否かを判定する。制御部３０は、例えば、指示体７０やリモコン（図示略）により操作終了の指示がされた場合に、操作を終了すると判定する（ステップＳ３５；Ｙｅｓ）。また、操作を終了しない場合は（ステップＳ３５；Ｎｏ）、ステップＳ２１に戻る。
【０１１０】
図１１は、領域移動処理を詳細に示すフローチャートである。領域移動処理は、投射可能領域１１０内の領域１１１、１１２、１１３、１１４のうち、いずれかの領域に表示される表示画像またはオブジェクトを、他の領域に移動させる操作に対応して実行される。
【０１１１】
制御部３０は、領域移動処理において、移動元の領域が処理領域であるか否かを判定する（ステップＳ７１）。移動元が処理領域である場合（ステップＳ７１；Ｙｅｓ）、制御部３０は、移動するオブジェクトの画像データを取得する（ステップＳ７２）。また、移動元が処理領域でないと判定した場合（ステップＳ７１；Ｎｏ）、移動元の領域は機器対応領域であるから、制御部３０は、移動元の領域の表示画像をキャプチャーし、キャプチャー画像を生成する（ステップＳ７３）。なお、図１１の領域移動処理を開始する際に既にキャプチャー画像が生成されている場合は、ステップＳ７１〜Ｓ７３の処理は省略される。
【０１１２】
続いて、制御部３０は、移動先が処理領域であるか否かを判定する（ステップＳ７４）。移動先が処理領域である場合（ステップＳ７５）、制御部３０は、移動するオブジェクトまたは移動元の領域のキャプチャー画像を、移動先の処理領域にオブジェクトとして表示し（ステップＳ７５）、本処理を終了する。
【０１１３】
一方、移動先が処理領域でない場合（ステップＳ７４；Ｎｏ）、移動先は機器対応領域であるから、制御部３０は、表示位置情報６３を参照して、移動先の領域に対応付けられる機器を特定する（ステップＳ７６）。制御部３０は、ステップＳ７６で特定した機器に対し、移動するオブジェクトまたは移動元の領域のキャプチャー画像の画像データを送信する（ステップＳ７７）。さらに、制御部３０は、移動するオブジェクトまたは移動元の領域のキャプチャー画像を用いて移動先の領域の表示を更新し（ステップＳ７８）、本処理を終了する。
ステップＳ７８で、制御部３０は、ステップＳ７７で送信した画像データを用いて表示を更新してもよい。また、ステップＳ７７の送信先の外部機器が、画像データを受信した後にプロジェクター１００に表示画像の画像データを送信した場合、この画像データを受信してスクリーンＳＣの投射画像を更新してもよい。
【０１１４】
以上説明したように、本発明を適用した実施形態に係る表示システム１は、プロジェクター１００と、プロジェクター１００に接続される外部機器としてのタブレット２、３、及び書画カメラ４を備える。これらの外部機器はプロジェクター１００に画像を出力する。プロジェクター１００は、投射可能領域１１０に画像を表示する投射部２０、外部機器に接続されるインターフェース部１１及び画像インターフェース部１２、及び、指示体７０による操作を検出する操作検出部５０を備える。また、プロジェクター１００は、投射可能領域１１０に複数の領域１１１、１１２、１１３、１１４を設け、それぞれの領域に画像を表示させる制御部３０を備える。複数の領域は、外部機器に対応付けられて外部機器に関する画像を表示する機器対応領域と、領域に表示される画像に対する処理が可能な処理領域とを含む。制御部３０は、投射部２０により外部機器が入力する画像を機器対応領域に表示させ、操作検出部５０が検出する操作に対応して、いずれかの領域に表示される画像を他の領域に表示させる。
このため、指示体７０を用いて、外部機器に対応付けられる領域に表示される画像に対し、処理を行うことが可能である。また、外部機器に対応付けられる領域の画像を、処理領域に表示させて処理を行うことにより、外部機器と表示画像との対応に影響を与えることなく、複数の画像を表示し、表示される画像に対する処理を行うことができる。
【０１１５】
プロジェクター１００の制御部３０は、機器対応領域に対し、投射部２０によって、外部機器に対応付けられた態様で画像を表示させる。操作検出部５０が、機器対応領域に表示される画像を処理領域に移す操作を検出した場合、操作された画像の表示態様を変更可能である。これにより、外部機器に対応付けられた領域における画像について、外部機器と画像との対応に影響を与えることなく、表示態様を変更できる。
【０１１６】
制御部３０は、操作検出部５０が処理領域に表示される画像を機器対応領域に移動する操作を検出した場合に、操作された画像に対して、移動先の機器対応領域に対応する外部機器に関連する処理（例えば、この外部機器に画像データを送信する処理）を行う。このため、画像を移動する操作により外部機器に関連する処理を実行させることができ、利便性の向上を図ることができる。
【０１１７】
操作検出部５０は、スクリーンＳＣの投射可能領域１１０に対する操作を検出する。制御部３０は、処理領域と機器対応領域とに跨がる操作を操作検出部５０が検出した場合に、処理領域に表示される画像を機器対応領域に移動する操作、或いは、機器対応領域に表示される画像を処理領域に移す操作として検出する。このため、ユーザーが複数の領域に跨がる操作を行うことにより、領域に表示される画像を他の領域に移動させる処理を指示できる。
【０１１８】
また、制御部３０は、少なくとも１つの機器対応領域に複数の外部機器を対応付けて複数機器対応領域とすることが可能である。操作検出部５０が、複数機器対応領域に対し画像を移動する操作を検出した場合に、移動先の複数機器対応領域に対応付けられた複数の外部機器のそれぞれに関連する処理（例えば、複数の外部機器のそれぞれに画像データを送信する処理）を行う。このため、ユーザーが簡単な操作を行うことにより、複数の外部機器に関連する処理を実行できる。
【０１１９】
また、制御部３０は、投射部２０により、複数機器対応領域に対応付けられた複数の外部機器から入力される画像を、それぞれの外部機器に対応する表示位置に表示させる。例えば、制御部３０は、複数のタブレット３から送信される画像データに基づく画像を、領域１１４において各タブレット３に対応する位置に表示する。このため、複数の外部機器が画像を入力した場合に、これら複数の画像を見やすく表示できる。
【０１２０】
また、プロジェクター１００は、投射部２０により、インターフェース部１１に接続される外部機器から入力される画像を、機器対応領域または処理領域に表示する。制御部３０は、投射部２０が処理領域に表示する画像の表示位置及び表示サイズの少なくともいずれかを、表示する画像を入力した外部機器に制限されず変更可能である。例えば、処理領域である領域１１３に移動された画像は、オブジェクトとして表示され、制御部３０は、このオブジェクトの表示位置や表示サイズを変更できる。このように、プロジェクター１００では、処理領域の表示画像に対し、機器対応領域に対応付けられる外部機器に関する制約を受けることなく、表示位置や表示サイズを変更できる。
【０１２１】
また、プロジェクター１００に接続される外部機器は、画像をインターフェース部１１に入力する画像入力機器を含む。投射部２０は、画像入力機器が入力する画像を、画像入力機器が対応付けられた機器対応領域に表示する。本実施形態では、タブレット２が送信する画像を領域１１１に表示し、書画カメラ４が送信する画像を領域１１２に表示し、タブレット３が送信する画像を領域１１４に表示する。このように、プロジェクター１００は、画像を入力する外部機器に対応して、画像を処理できる。
【０１２２】
また、プロジェクター１００において、外部機器は、インターフェース部１１を介して画像を入出力可能な画像入出力機器を含み、投射部２０は、画像入出力機器が入力する画像を、画像入出力機器が対応付けられた機器対応領域に表示し、制御部３０は、操作検出部５０が、機器対応領域に対し画像を移動する操作を検出した場合に、移動先の機器対応領域に対応付けられた画像入出力機器に対して画像を出力すること、を特徴とする。
本発明によれば、外部機器が入力する画像を処理し、さらに、外部機器に対する画像の出力を行うことができる。
【０１２３】
また、制御部３０は、第１の機器対応領域から処理領域に画像を移動する操作に対応して処理を行い、処理された画像について第２の機器対応領域に移動する操作を操作検出部５０が検出した場合に、処理された画像を、さらに処理できる。この処理で、制御部３０は、第１の機器対応領域に対応付けられた外部機器に関する制約を受けずに処理可能である。例えば、図６（Ａ）で領域１１４から領域１１３に表示画像Ｐ２を移動した場合、表示画像Ｐ２のキャプチャー画像が、領域１１３にオブジェクトＯ１〜Ｏ３として表示される。これらオブジェクトＯ１〜Ｏ３を、領域１１１または領域１１４に移動させる操作が行われると、制御部３０は、オブジェクトＯ１〜Ｏ３の画像データを、タブレット２またはタブレット３に送信する。オブジェクトＯ１〜Ｏ３が、タブレット３の表示画像の画像データに基づくオブジェクトであることは、オブジェクトＯ１〜Ｏ３の画像データを送信する処理に影響しない。従って、処理領域である領域１１３に移動されオブジェクトＯ１〜Ｏ３として表示された画像は、外部機器の属性等に影響されず、高い自由度で処理できる。このため、異なる種類の外部機器をプロジェクター１００に接続する構成において、各外部機器から入力される画像を活用できる。
【０１２４】
なお、上述した実施形態及び変形例は本発明を適用した具体的態様の例に過ぎず、本発明を限定するものではなく、異なる態様として本発明を適用することも可能である。例えば、投射可能領域１１０に対する操作に用いる指示体は、ペン型の指示体７０に限らず、ユーザーの手指、レーザーポインター、指示棒等を用いてもよく、その形状やサイズは限定されない。
【０１２５】
また、上記実施形態では、操作検出部５０は、撮影部５１によりスクリーンＳＣを撮影して指示体７０の位置を特定するものとしたが、本発明はこれに限定されない。例えば、撮影部５１は、プロジェクター１００の本体に設けられ、投射光学系２３の投射方向を撮影するものに限定されない。撮影部５１をプロジェクター１００本体とは別体として配置してもよいし、撮影部５１がスクリーンＳＣの側方や正面から撮影を行うものとしてもよい。さらに、複数の撮影部５１を配置し、これら複数の撮影部５１の撮影画像データに基づいて、対象検出部５４が操作位置を検出してもよい。
また、上記実施形態では、プロジェクター１００から指示体７０に対し、送信部５２が発する赤外線信号を用いて指示体７０に同期用の信号を送信する構成を説明したが、同期用の信号は赤外線信号に限定されない。例えば、電波通信や超音波無線通信により同期用の信号を送信する構成としてもよい。
【０１２６】
また、上述した実施形態では、指示体７０の先端部７１がスクリーンＳＣに接触しているか否かを、送受信部７４の点灯パターンに基づいて判定する例を説明したが、本発明はこれに限定されない。例えば、指示体７０の先端部７１がスクリーンＳＣに押しつけられているか否かを、撮影画像データに写る指示体７０及び先端部７１の画像をもとに、判定してもよい。この構成は、例えば、異なる方向から撮影された複数の撮影画像データに基づいて先端部７１の位置を検出したり、撮影画像データから先端部７１の像と指示体７０の影の像とを検出したりすることで、実現できる。
また、上述した実施形態では、プロジェクター１００が内蔵する操作検出部５０の機能により、指示体７０の操作を検出する例を説明したが、本発明はこれに限定されない。例えば、操作検出部５０の機能を、プロジェクター１００とは独立した装置として実現することもできる。また、プロジェクター１００以外の表示装置に、操作検出部５０の機能を持たせて、位置検出装置として動作させる態様も実現可能である。
【０１２７】
また、本発明の表示装置は、上述したようにスクリーンＳＣに画像を投射するプロジェクター１００に限定されず、液晶表示パネルに画像を表示する液晶モニターまたは液晶テレビ、或いは、ＰＤＰ（プラズマディスプレイパネル）に画像を表示するモニター装置またはテレビ受像機、ＯＬＥＤ（Organic light-emitting diode）、ＯＥＬ（Organic Electro-Luminescence）等と呼ばれる有機ＥＬ表示パネルに画像を表示するモニター装置またはテレビ受像機等の自発光型の表示装置など、各種の表示装置も本発明の表示システムに含まれる。この場合、液晶表示パネル、プラズマディスプレイパネル、有機ＥＬ表示パネルが表示部及び表示面に相当する。また、この表示面は、表示領域、指示体７０で操作される操作面、及び操作領域に相当する。
【０１２８】
また、上記実施形態では、光源が発した光を変調する光変調装置２２として、ＲＧＢの各色に対応した３枚の透過型の液晶パネルを用いた構成を例に挙げて説明したが、本発明はこれに限定されるものではない。例えば、３枚の反射型液晶パネルを用いた構成としてもよいし、１枚の液晶パネルとカラーホイールを組み合わせた方式を用いてもよい。また、３枚のデジタルミラーデバイス（ＤＭＤ）を用いた方式、１枚のデジタルミラーデバイスとカラーホイールを組み合わせたＤＭＤ方式等により構成してもよい。光変調装置２２として１枚のみの液晶パネル又はＤＭＤを用いる場合には、クロスダイクロイックプリズム等の合成光学系に相当する部材は不要である。また、液晶パネル及びＤＭＤ以外にも、光源が発した光を変調可能な光変調装置であれば問題なく採用できる。
【０１２９】
また、図２、３の機能ブロック図に示した機能ブロックは、タブレット２、３、書画カメラ４及びプロジェクター１００の機能的構成を示すものであって、具体的な実装形態を制限しない。つまり、図中の機能ブロックに対応するハードウェアが実装される必要はなく、一つのプロセッサーがプログラムを実行することで複数の機能部の機能を実現する構成とすることも勿論可能である。また、上記実施形態においてソフトウェアで実現される機能の一部をハードウェアで実現してもよく、あるいは、ハードウェアで実現される機能の一部をソフトウェアで実現してもよい。
さらに、プロジェクター１００に接続可能な外部機器は、タブレット２、３及び書画カメラ４に限定されない。例えば、デスクトップ型のコンピューター、スマートフォンを含む携帯型電話機、映像／音楽プレーヤー、テレビ放送のチューナー装置等、画像や音声を出力可能な装置であればよい。また、外部機器とプロジェクター１００とを接続するインターフェースの具体的構成は制限されず、アナログ画像信号、音声信号あるいはデジタルデータを伝送可能なインターフェースであれば制限なく適用可能である。その他、表示システム１を構成する機器の他の各部の具体的な細部構成についても、本発明の趣旨を逸脱しない範囲で任意に変更可能である。
【符号の説明】
【０１３０】
１…表示システム、２…タブレット（外部機器）、３…タブレット（外部機器）、４…書画カメラ（外部機器）、１１…インターフェース部（接続部）、１２…画像インターフェース部（接続部）、２０…投射部（表示部）、３０…制御部、３１…投射制御部、３２…操作取得部、３３…通信制御部、３４…描画部、３５…画像取得部、４０…画像処理部、４１…フレームメモリー、５０…操作検出部、６０…記憶部、６１…制御プログラム、６２…外部機器情報、６３…表示位置情報、７０…指示体、１００…プロジェクター（表示装置）、１１０…投射可能領域（表示領域）、１１１…領域（機器対応領域）、１１２…領域（機器対応領域）、１１３…領域（処理領域）、１１４…領域（機器対応領域、複数機器対応領域）、１１５…領域境界、１１６…余白部、２０１…タッチパネル、２１２…制御部、３０１…タッチパネル、３１２…制御部、Ｍ、Ｍ´…メニューバー、Ｏ１〜Ｏ４…オブジェクト、ＳＣ…スクリーン。
【図１】
2016180942.tif 000003
【図２】
2016180942.tif 000004
【図３】
2016180942.tif 000005
【図４】
2016180942.tif 000006
【図５】
2016180942.tif 000007
【図６】
2016180942.tif 000008
【図７】
2016180942.tif 000009
【図８】
2016180942.tif 000010
【図９】
2016180942.tif 000011
【図１０】
2016180942.tif 000012
【図１１】
2016180942.tif 000013